(57)【要約】【課題】裾換気作業を不要にし、トンネル内の温度上昇を招くことがないトンネル用換気フィルム及びこれを用いた栽培方法を提供すること。【解決手段】ガラス室、ハウス及びベトコン等の栽培施設１内で用いるトンネル用換気フィルム２において、該フィルム２の中央部に複数の換気口２０，２１を設けてなり、且つ該フィルムの端部２２から５〜３０ｃｍの範囲に開口率が０．１〜３．０％の範囲となるように複数の吸気口２３，２４を形成してなることを特徴とするトンネル用換気フィルム、及び該トンネル用換気フィルムを用いた栽培方法。【選択図】　　　　図１
2004081052.tif 000002
【特許請求の範囲】
【請求項１】
ガラス室、ハウス及びベトコン等の栽培施設内で用いるトンネル用換気フィルムにおいて、該フィルムの中央部に複数の換気口を設けてなり、且つ該フィルムの端部から５〜３０ｃｍの範囲に開口率が０．１〜３．０％の範囲となるように複数の吸気口を形成してなることを特徴とするトンネル用換気フィルム。
【請求項２】
ガラス室、ハウス及びベトコン等の栽培施設内にトンネル用換気フィルムを展張し、該トンネル用換気フィルム内で野菜等の栽培を行う栽培方法において、
前記トンネル用換気フィルムの天井部に複数の換気口を列状に設けてなり、且つ該トンネル用換気フィルムの端部から５〜３０ｃｍの範囲に開口率が０．１〜３．０％の範囲となるように複数の吸気口を列状に形成してなることを特徴とするトンネル用換気フィルムを用いた栽培方法。
【発明の詳細な説明】
【０００１】
【発明の属する技術分野】
本発明は、トンネル用換気フィルム及びこれを用いた栽培方法に関し、詳しくは裾換気作業を不要にし、トンネル内の温度上昇を招くことがないトンネル用換気フィルム及びこれを用いた栽培方法に関する。
【０００２】
【従来の技術】
近年、ガラス室やハウスやベトコン等の栽培施設内に、トンネル用フィルムを設けて、農作物を栽培する方法が普及し、レタス、大根、スイカ、メロン、スイートコーンなどの各種野菜栽培に広く採用されつつある。
【０００３】
かかる野菜栽培方法の従来の一例としてスイカ栽培の場合を図３に示すと、同図において、１０は最外周の栽培施設用フィルムであり、現状では約７５μｍの塩化ビニル樹脂フィルムを用いている。１１は栽培施設用フィルム１０の内部に設けられているトンネル用フィルムであり、現状では５０μｍの塩化ビニル樹脂フィルムを用いている。１２はトンネルアームである。１３は栽培用畝で通常透明や緑色のマルチフィルムでマルチングされている。１４は育苗して定植されたスイカである。
【０００４】
上記のようなトンネル栽培においては、トンネル内が日中高温になり、栽培作物に対する高温障害の問題がある。かかる高温障害を解消する手段として、従来、図示のように、日中にトンネル用フィルム１１を手繰り上げて裾換気を行っていた。かかる裾換気を行うと、トンネル断面に対する開口率が通常約５％以上になるため、日中熱気がこもることはほとんどなく、ハウスやベトコン内気温に近くなる。勿論、このような換気管理時にはフィルム１０も裾換気していることが多い。
【０００５】
しかし、裾換気作業は大変労力を必要とする作業であり、作業者の高齢化が進んでいる現状では好ましくない。自動巻上げ方式を採用すること考えられるが、設備コストが過大になり、栽培の採算性との関係からしてもとても採用できる状況にはない。
【０００６】
一方、野菜栽培方法の従来の他の例を図４に示すと、栽培施設用フィルム１０は図３の例と同様であり、トンネル用フィルム１１の上部に換気口１１０が設けられている点で図３の栽培例と異なっている。サイド部のフィルムは土中に埋め込まれていないが、土表面に敷かれた状態にある。この換気口１１０を設ける趣旨は、図３の例の裾換気作業を無くし、裾換気と同等の効果をねらったものである。
【０００７】
しかし、この換気口１１０の存在による開口率は１〜３％程度で、しかもサイド部のフィルムが土表面に敷かれ密着に近い状態にあるため、当然熱気がこもり、図３の栽培例と比べれば、トンネル内は高温になりやすい。
【０００８】
このような条件下では図３にて説明したような裾換気を行わざるを得なくなり、当初の狙いである管理作業の省力化が達成できない。
【０００９】
このため換気口１１０を開口率５〜１０％以上にすることも可能であるが、そのようにすると、トンネル用フィルム１１の重要な特性である夜間の地面や植物体からの長波放射による放熱を抑制する効果（いわゆる保温機能）が低下する。
【００１０】
図３、図４にて説明した通り、フィルム裾部が土面に密着に近い状態で被覆されており、トンネル用フィルム上面の開口を大きくして熱気を抜こうとしても外からの冷気が入り難いため、効果が不十分である。
【００１１】
さらにフィルム強度も低下し、使用後フィルムを回収して再度使用する、いわゆる２回（２年）、３回（３年）に亘る多年使用に耐えられない問題がある。
【００１２】
【発明が解決しようとする課題】
そこで、本発明は、裾換気作業を不要にし、トンネル内の温度上昇を招くことがないトンネル用換気フィルム及びこれを用いた栽培方法を提供することを課題とする。
【００１３】
また、本発明の他の課題は、以下の記載によって明らかとなる。
【００１４】
【課題を解決するための手段】
上記課題は、以下の発明によって解決される。
【００１５】
（請求項１）ガラス室、ハウス及びベトコン等の栽培施設内で用いるトンネル用換気フィルムにおいて、該フィルムの中央部に複数の換気口を設けてなり、且つ該フィルムの端部から５〜３０ｃｍの範囲に開口率が０．１〜３．０％の範囲となるように複数の吸気口を形成してなることを特徴とするトンネル用換気フィルム。
【００１６】
（請求項２）ガラス室、ハウス及びベトコン等の栽培施設内にトンネル用換気フィルムを展張し、該トンネル用換気フィルム内で野菜等の栽培を行う栽培方法において、
前記トンネル用換気フィルムの天井部に複数の換気口を列状に設けてなり、且つ該トンネル用換気フィルムの端部から５〜３０ｃｍの範囲に開口率が０．１〜３．０％の範囲となるように複数の吸気口を列状に形成してなることを特徴とするトンネル用換気フィルムを用いた栽培方法。
【００１７】
【発明の実施の形態】
以下、本発明の実施の形態を詳細に説明する。
【００１８】
図１は本発明のトンネル用換気フィルムの使用状態を示す側面図であり、同図において、１はガラス室、ハウス、ベトコン等の栽培施設であり、栽培施設１の素材は透明なガラス、フィルムの何れであってもよく、透明なフィルムの場合、塩化ビニル樹脂フィルム、ポリオレフィン樹脂フィルム、ポリオレフィン系特殊フィルム（低密度ポリエチレンフィルムとエチレン−酢酸ビニル共重合体樹脂フィルムの積層体フィルム：低密度ポリエチレンフィルム、エチレン−酢酸ビニル共重合体樹脂フィルム、低密度ポリエチレンフィルムを３層に積層したフィルムなど）のいずれであってもよい。
【００１９】
２はトンネル用換気フィルムであり、複数のトンネルアーム３によって支持されてトンネル状に展張されている。
【００２０】
トンネル用換気フィルム２には、天井部に熱気の出口となる２列の換気口２０、２１が形成されている。また、トンネル用換気フィルム２には、該フィルム２の幅端部２２から５〜３０ｃｍの範囲に冷気の入口となる複数の吸気口２３、２４が形成されている。
【００２１】
図２にはトンネル用換気フィルム２の使用状態（展張状態）前の形態が示されている。
【００２２】
図２において、ａはトンネル用換気フィルムの長手方向、ｂは幅方向を示している。トンネル用換気フィルム２の長手方向ａには、中央線ｙに沿ってその両側に換気口２０、２１が列状に形成されている。
【００２３】
換気口２０、２１の列の位置は、幅Ｌのトンネル用換気フィルムにおいて、中央線ｙから５０ｃｍ以下の範囲であればよく、好ましくは中央線ｙから３５ｃｍ以下の範囲である。
【００２４】
かかる換気口２０、２１の列を設けると、トンネル内の熱気の逃げを容易にするので、好ましい。
【００２５】
またトンネル用換気フィルム２には、図２に示すように、上記の換気口２０、２１以外に、トンネル用換気フィルムの幅端部２２から距離ｘの範囲に複数の吸気口２３、２４の列が形成されている。そして距離ｘは本発明では５〜３０ｃｍの範囲である。
【００２６】
かかる吸気口２３、２４の列を設けると、冷気（トンネル内よりも低温の外気）の入口となるので好ましい。特に地面際に吸気口を形成すると、いわゆるエントツ効果を発揮し易くなり、冷気を取込み、熱気を排出し易いのでより好ましい。また当然であるが、日夜ともに湿気は常に抜け、いわゆるムレた状態ではないので、野菜栽培上大変好ましい。
【００２７】
吸気口２３、２４の列はトンネル用換気フィルムの中央線ｙの一方側にのみ形成してもよいし、両方に形成してもよい。
【００２８】
本発明において栽培施設１内にトンネル用換気フィルム２を設置する態様は特に限定されず、図１に示すように、栽培施設１であるベトコンハウス内にトンネル用換気フィルム２を片側に偏って設置したり、あるいは図示しないが、ベトコンハウス内にトンネル用換気フィルム２を中心線を一致させて１列設置したり、あるいは栽培施設１であるパイプハウス内にトンネル用換気フィルム２を１列又は２列設けたりしてもよい。
【００２９】
トンネル用換気フィルム２の両側は、土と接する部位が存在することが好ましく、その接する部位の長さｚは３０ｃｍ以下が好ましく、より好ましくは２０ｃｍ以下である。
【００３０】
トンネル用換気フィルム２の幅Ｌは、本発明では約１５０〜４５０ｃｍの範囲であり、かかるフィルムを用いたトンネルは、例えば図１に示すように、高さが０．５ｍ〜１．５ｍ程度で、幅が０．７〜２．０ｍ程度で、いわゆるドーム状あるいはトンネル状の形状のものをいう。
【００３１】
換気口２０、２１、吸気口２３、２４はフィルムの長手方向に沿って列状に形成されることが好ましく、その列数は１列でも複数列でもよい。またその列は直線的でも千鳥状等でもよい。
【００３２】
換気口２０、２１、吸気口２３、２４の孔の形状は丸孔、長円孔、正方形、長方形等のいずれでもよく、適宜選定すればよい。
【００３３】
また打ち抜いた孔でなく、切れ目（切れ線）を入れるのも有効である。切れ線は、直線、曲線、及び各種組み合わせでもよい。
【００３４】
そして切れ目の場合は、トンネル用換気フィルムの展張の強弱等により、開口率を変化させ得るので、野菜の生育や気象条件の変化に合わせた開口率の調整が可能である。
【００３５】
本発明において、換気口２０、２１、吸気口２３、２４は製造面及び性能面から丸孔が最も一般的である。丸孔の径や数は適宜設定すればよい。そして生産上からは同一孔径、孔間隔で生産するのが便利であるが、しかし１列を為す孔列において、直径の異なる孔を、例えば交互に並べてもよい。また複数の孔列では孔径が異なってもよい。例えば５列の孔列の場合、中央列の孔径を２０ｍｍ、その両側２列の孔径を５５ｍｍ、そして外側２列の孔径は４０ｍｍとしてよい。
【００３６】
換気口２０、２１による開口面積の該フィルム全面積に対する比（以下、開口率という）は０．３〜２．５％の範囲であり、好ましくは０．６〜１．５％の範囲である。フィルムの開口率が０．３％より小さいと熱気が逃げにくくトンネル内の温度が上昇し、一方、２．５％より大きいとトンネル内の温度が低下する。なお、上記の開口率は、換気口２０、２１の形状が、丸孔である場合である。
【００３７】
吸気口２３、２４による開口面積の該フィルム全面積に対する比（以下、開口率という）は０．１〜３．０％の範囲であり、好ましくは０．３〜１．５％の範囲である。フィルムの開口率が０．１％より小さいと、冷気が入りにくくトンネル内の温度が上昇し、一方、３．０％より大きいとトンネル内の温度が低下しすぎる。なお、上記の開口率は、吸気口２３、２４の形状が、丸孔である場合である。
【００３８】
本発明において、吸気口２３、２４の形状は、上記の開口率である場合は、丸孔よりも細いスリット（長方形）の方が隙間風効果が大きくなるので、換気効率がよいと考えられる。
【００３９】
トンネル用換気フィルムの材質は、フィルムの汚れ性や、より高温時にフィルムを開放し、サイドに放置しておく時の融着性の点から、ポリオレフィンフィルムまたはポリオレフィン系特殊フィルムが好ましい。ポリオレフィンフィルムとしては、低密度ポリエチレンフィルム、直鎖低密度ポリエチレン等が挙げられる。ポリオレフィン系特殊フィルムは、中間層にポリエチレン−酢酸ビニル共重合体層、内外層に低密度ポリエチレンフィルム層等を配置した積層フィルムを主として用いることができる。
【００４０】
また、本発明においては、トンネル用換気フィルムの材質としては、フィルムの保温性、透明性等を考慮すると、これらの特性に優れる塩化ビニル樹脂フィルムを用いることも好ましい。
【００４１】
トンネル用換気フィルム２の厚みは３０〜１００ミクロンの範囲が好ましく、より好ましくは５０〜８０ミクロンの範囲である。
【００４２】
トンネル用換気フィルムに添加（練込み等）できる添加剤としては、一般に使用される耐候安定剤、保温剤、防曇剤、防霧剤、滑材、アンチブロッキング剤、酸化防止剤などを適宜使用できる。また、本発明では、トンネル用換気フィルムに着色剤も必要により使用できる。また、防曇剤や着色剤等等の添加剤は、フィルムに練り込んでも良いし、塗布、印刷して実質的に添加してもよい。
【００４３】
本発明の栽培方法によると、図１に示すようにトンネル用換気フィルムを設置して、マルチ栽培を行うことができる。図１には畝３０が示され、野菜３１を栽培している例が示されている。
【００４４】
図１の栽培例においては、マルチフィルムについては図示されていないが、公知のマルチ用フィルムを用いることができる。
【００４５】
また、マルチフィルムの上方にスイカやメロン等の農作物を覆う被覆資材として、ウキガケ又はベタガケ用の不織布を掛けてもよい。
【００４６】
不織布としては、ポリビニルアルコール系合成樹脂製の割繊維不織布を使用できる。ポリビニルアルコール系合成樹脂製のものは保温性がよいからである。また、割繊維を使用しているため、光透過性がよく、吸湿性もよく、光が十分に入り湿度も過剰でなく、スイカやメロンの栽培の際に、２〜３週間以上被覆できる。当然地温も長く保持でき、光が十分に入るので、スイカやメロンの活着、生育に適している。
【００４７】
本発明において、使用できる割繊維不織布の製造方法の例を以下に説明するが、本発明で使用できる割繊維不織布は以下の例に限定されないことはもとよりである。
【００４８】
はじめに、ポリビニルアルコール系合成樹脂フィルムを４．３倍以上に一軸延伸する。次いで、断続的にスリットを設け拡幅してウェブを得る。次いで前記のウェブを経緯に積層、接着して割繊維不織布を得る。前記スリットの間隔は幅方向に１５個／インチ以上であることが好ましく、且つ前記拡幅の倍率は１．１〜７．０倍の範囲内にあることが好ましい。本発明において使用できる割繊維不織布の空隙率（［空隙率］＝［単位面積当たりの開口部の総面積］÷［単位面積］×１００％）は、５〜６０％の範囲が好ましく、より好ましくは１０〜４０％の範囲である。上記割繊維不織布としては、アイオン株式会社製「６０００Ｎ」、「４０００Ｎ」等として市販されているものを使用できる。
【００４９】
【実施例】
以下、本発明の実施例について説明するが、かかる実施例によって本発明が限定されるものではない。
【００５０】
実施例１
平成１４年２月、千葉県市原市のみかど化工（株）試験農場で、ポリ塩化ビニルフィルムで被覆した大型トンネル（通称ベトコン）内に、本発明のフィルムと比較フィルムを被覆したトンネルを設置して、スイカ栽培試験区を作り、２月２４日にスイカの苗を植え、３月７日晴天１３時に、トンネル内温度を地表から１０ｃｍの高さで測定した。
【００５１】
１）条件
栽培施設：１５列（試験区１１列、対照区２列）
大型トンネル：幅２．７ｍ×高さ１．５ｍ×長さ２０ｍ
ポリ塩化ビニルフィルム被覆（オカモトモヤレススーパーワイド　厚さ７５μｍ、幅４３０ｃｍ）
トンネル：幅１．３ｍ×高さ０．７ｍ×長さ２０ｍ
カンキフィルム被覆（みかど化工社製「ユーラックカンキ」、厚さ７５μｍ、幅２３０ｃｍ）
天井カンキ孔：フィルム中心線より左右３０ｃｍのところに２列、口径４３ｍｍφの孔を１３．５ｃｍ間隔に開ける。（開口率０．９％）
裾カンキ孔：フィルム幅方向端部から５〜３０ｃｍのところに丸孔、四角孔、スリット等の開口部を設ける。
【００５２】
対照フィルム
ユーラックカンキ（天井カンキ孔のみ）
ポリ塩化ビニルフィルム（前記フィルムを幅２３０ｃｍにカットして使用）
【００５３】
環境条件：３月７日１３時　外気温１５．３℃
【００５４】
２）結果
裾カンキ孔形状を変化させて、各々のトンネル内温度を調べ、その結果を表１に示した。
【００５５】
【表１】
2004081052.tif 000003
【００５６】
上記表１より、スイカ栽培は３５℃程度が好ましく、比較例のフィルムは高温による障害を避けるため、裾カンキ作業が必要になるか、温度不足による生育遅れがでるのに対して、本発明のフィルムはスイカ栽培初期に裾カンキ作業をしなくても適温になり生育が良好である。
【００５７】
【発明の効果】
本発明によれば、裾換気作業を不要にし、トンネル内の温度上昇を招くことがないトンネル用換気フィルム及びこれを用いた栽培方法を提供することができる。
【図面の簡単な説明】
【図１】本発明の実施の形態を示す図
【図２】本発明のトンネル用換気フィルムの一例を示す図
【図３】一従来例を示す図
【図４】他の従来例を示す図
【符号の説明】
１：ガラス室、ハウス、ベトコン等の栽培施設
２：トンネル用換気フィルム
２０、２１：換気口
２２：幅端部
２３、２４：吸気口
３：トンネルアーム
３０：畝
３１：野菜
【図１】
2004081052.tif 000004
【図２】
2004081052.tif 000005
【図３】
2004081052.tif 000006
【図４】
2004081052.tif 000007